(57)【要約】      （修正有）【課題】新郎新婦から列席者へ心のこもったおもてなしのできる宴席用プレゼント提供装置、宴席用プレゼント交換装置、および宴席用プレゼント交換システムを提供し、新郎新婦および列席者の満足度を向上させ、より思い出深い結婚披露宴を演出する。【解決手段】プレゼント提供ボックスセット８は、列席者向けプレゼント４１を収容するプレゼント収容部１３と、前記プレゼント収容部１３の開口１３ｂを塞ぐ蓋部１１と、前記蓋部１１を閉じた状態で前記蓋部１１が開かないように固定する錠前２０と、前記錠前の施錠および開錠を行う真のカギ３１ａと、前記カギと区別し難い形状の複数の偽のカギとを備えている。偽のカギでは錠前２０が開錠せず、真のカギ３１ａで前記錠前２０を開錠しようとしたときに開錠して、開錠した列席者に前記プレゼント収容部１３に収容された列席者向けプレゼント４１を提供する。【選択図】図３
2016010420.tif 000002
【特許請求の範囲】
【請求項１】
開口を有して新郎新婦から列席者への列席者向けプレゼントを収容するプレゼント収容部と、
前記プレゼント収容部の開口を塞ぐ蓋部と、
前記蓋部を閉じた状態で前記蓋部が開かないように固定する錠前と、
前記錠前の施錠および開錠を行う真のカギと、
前記カギと区別し難い形状の複数の偽のカギとを備え、
列席者が前記偽のカギで前記錠前を開錠しようとしたときは開錠せず、他の列席者が前記真のカギで前記錠前を開錠しようとしたときに開錠して、開錠した列席者に前記プレゼント収容部に収容された列席者向けプレゼントを提供する
宴席用プレゼント提供装置。
【請求項２】
前記プレゼント収容部は、
前記真のカギと複数の前記偽のカギを全て収容できる大きさに形成され、
前記列席者向けプレゼントを開錠者に提供した後に、前記真のカギと複数の前記偽のカギを全て収容する
請求項１記載の宴席用プレゼント提供装置。
【請求項３】
請求項１または２記載の宴席用プレゼント提供装置と、
列席者から新郎新婦への新郎新婦向けプレゼントとを備え、
前記プレゼント収容部は、
列席者から新郎新婦への新郎新婦向けプレゼントを収容できる大きさに形成され、
前記列席者向けプレゼントを開錠者に提供した後に、前記真のカギと複数の前記偽のカギと前記新郎新婦向けプレゼントを全て収容して新郎新婦と列席者とのプレゼント交換を実現する構成である
宴席用プレゼント交換装置。
【請求項４】
前記プレゼント収容部および前記蓋部とで構成されたプレゼント収容ボックスと前記錠前と前記真のカギと前記複数のカギのセットで構成された請求項３記載の宴席用プレゼント交換装置を、列席者テーブルの数と同じ数だけ用意して各列席者テーブルに配置し、
前記列席者テーブル毎に、前記真のカギと前記偽のカギを合計したカギの数が当該列席者テーブルの列席者数と同じ数とした
宴席用プレゼント交換システム。
【請求項５】
前記列席者テーブル毎の錠前と真のカギを、どの真のカギでも錠前を開錠できる同じ開錠構造を持つもので構成した
請求項４記載の宴席用プレゼント交換システム。
【発明の詳細な説明】
【技術分野】
【０００１】
この発明は、結婚披露宴において新郎新婦から列席者へプレゼントを提供するような宴席用プレゼント提供装置、宴席用プレゼント交換装置、および宴席用プレゼント交換システムに関する。
【背景技術】
【０００２】
従来、結婚披露宴では、メインテーブルや列席者テーブル上の装花、キャンドルサービスや映像の投影、あるいは列席者テーブル毎の写真撮影など、様々な装飾及びイベントが行われている。
【０００３】
例えば、キャンドルサービスに変わる装置として、発光演出装置が提案されている（特許文献１参照）。この発光演出装置は、列席者テーブル上に載置された筒状の容器に新郎新婦が水を灌ぐと、水の水位に連動して下から発光していき、光の演出を行うものである。
【０００４】
このような装飾及びイベントは、結婚披露宴を華やかに思い出深くするものであり、新郎新婦によって多種多様に選択されて利用されている。
【０００５】
一方で、近年は、会場を豪華にした華やかな結婚披露宴よりも、心のこもったおもてなしのある結婚披露宴が好まれる。このため、キャンドルサービス等の会場の華やかさに関する装飾やイベントを不要とする新郎新婦が増えてきている。
【０００６】
しかし、心のこもったおもてなしを行いたい新郎新婦に対して、華やかさに関する装飾やイベントの代わりとして提供できるサービスは少なく、新たなサービスが望まれていた。
【先行技術文献】
【特許文献】
【０００７】
【特許文献１】特開２０１３−４８８８５号公報
【発明の概要】
【発明が解決しようとする課題】
【０００８】
この発明は、上述の問題に鑑みて、新郎新婦から列席者へ心のこもったおもてなしのできる宴席用プレゼント提供装置、宴席用プレゼント交換装置、および宴席用プレゼント交換システムを提供し、新郎新婦および列席者の満足度を向上させ、より思い出深い結婚披露宴を演出することを目的とする。
【課題を解決するための手段】
【０００９】
この発明は、開口を有して新郎新婦から列席者への列席者向けプレゼントを収容するプレゼント収容部と、前記プレゼント収容部の開口を塞ぐ蓋部と、前記蓋部を閉じた状態で前記蓋部が開かないように固定する錠前と、前記錠前の施錠および開錠を行う真のカギと、前記カギと区別し難い形状の複数の偽のカギとを備え、列席者が前記偽のカギで前記錠前を開錠しようとしたときは開錠せず、他の列席者が前記真のカギで前記錠前を開錠しようとしたときに開錠して、開錠した列席者に前記プレゼント収容部に収容された列席者向けプレゼントを提供する宴席用プレゼント提供装置、宴席用プレゼント交換装置、および宴席用プレゼント交換システムであることを特徴とする。
【発明の効果】
【００１０】
この発明により、新郎新婦から列席者へ心のこもったおもてなしができ、新郎新婦および列席者の満足度を向上させ、より思い出深い結婚披露宴を演出することができる。
【図面の簡単な説明】
【００１１】
【図１】プレゼント交換システムおよびプレゼント提供システムの構成図。
【図２】施錠状態のプレゼント交換ボックスセットの外観を示す斜視図。
【図３】開錠状態のプレゼント交換ボックスセットの外観を示す斜視図。
【図４】プレゼント交換システムを用いた演出動作のフローチャート。
【発明を実施するための形態】
【００１２】
以下、この発明の一実施形態を図面と共に説明する。  
【実施例１】
【００１３】
図１は、プレゼント交換システム１およびプレゼント提供システム１ａの全体構成を示す構成図である。  
結婚披露宴会場には、新郎新婦側のメインテーブル２と、列席者用の複数の列席者テーブル５が配置されている。各列席者テーブル５は、その列席者テーブル５に割り当てられた列席者数に応じた数の椅子（図示省略）が略均等に配置されている。各列席者テーブル５の上面には、中央に装花やキャンドル等の装飾６が配置され、周囲に人数分のナプキンや食器等（図示省略）が配置されている。
【００１４】
メインテーブル２の上面には、新郎新婦向けプレゼントボックス３が配置され、各列席者テーブル５には、列席者向けプレゼントボックス１０が１つずつ配置されている。この列席者向けプレゼントボックス１０は、装飾等の施された美観の良いボックスであり、プレゼント交換ボックスとしても機能する。また、各列席者テーブル５には、列席者に取り扱ってもらう列席者用具３０が着席する列席者数と同じ数だけ配置されている。列席者用具３０は、タグ付きのカギであり、列席者個別に配置されたショープレートやナプキン、あるいは席札やペーパーアイテムと一緒に予めセットされている。
【００１５】
１つの列席者テーブルに配置された１つの列席者向けプレゼントボックス１０と複数の列席者用具３０により、プレゼント交換ボックスセット９（宴席用プレゼント交換装置）が構成されている。また、１つの列席者テーブルに配置された１つの列席者向けプレゼントボックス１０と複数のカギ３１（３１ａ３１ｂ）（図２参照）により、プレゼント提供ボックスセット８（宴席用プレゼント提供装置）が構成されている。従って、列席者テーブル５の数だけプレゼント提供ボックスセット８およびプレゼント交換ボックスセット９が配置されている。
【００１６】
これらの複数のプレゼント交換ボックスセット９によりプレゼント交換システム１が構成されている。また、列席者用具３０のうちのカギ１（３１ａ，３１ｂ）（図２参照）と新郎新婦向けプレゼントボックス３により、プレゼント提供システム１ａが構成されている。
【００１７】
図２および図３は、プレゼント交換ボックスセット９の外観を示す斜視図である。図２は、列席者向けプレゼントボックス１０が閉じられて鍵がかけられている状態を示し、図３は、開錠されて列席者向けプレゼントボックス１０が開けられている状態を示している。なお、図３では偽のカギ３１ｂ（図２参照）を表示していないが、図示省略しているだけであって、図２と同様に偽のカギ３１ｂは存在している。
【００１８】
プレゼント交換ボックスセット９は、１つの列席者向けプレゼントボックス１０と、複数の列席者用具３０により構成されている。
【００１９】
列席者向けプレゼントボックス１０は、外形が略直方体形状で上面に開口１３ｂ（図３参照）を設けた容器状のプレゼント収容部１３と、プレゼント収容部１３の上面を塞ぐ蓋部１１とを有している。蓋部１１とプレゼント収容部１３は、背面側の蝶番１１ａ（図３参照）により回動可能に接続されている。
【００２０】
プレゼント収容部１３の正面には、正面に突出した固定具１４が設けられている。この固定具１４は、側方へ貫通する孔１４ａ（図３参照）が設けられている。プレゼント収容部１３の内側は、複数の列席者用具３０をまとめて収容できる大きさの収容空間１３ａが設けられている。この収容空間１３ａは、列席者向けプレゼント４１を収容することもできる大きさである。
【００２１】
蓋部１１の正面には、留め具１２が設けられている。この留め具１２は、蓋部１１に連結されている基部を中心に上下方向へ回動可能な板状に形成されている。留め具１２の中心部には、固定具１４を挿通する孔１２ａが設けられている。
【００２２】
プレゼント収容部１３に対して蓋部１１が閉じられ、留め具１２を下方へ回動して孔１２ａに固定具１４を挿通すると、図２に示すように固定具１４の孔１４ａに錠前２０のアーム２１を挿通して施錠できる。この状態では、プレゼント収容部１３に対して蓋部１１が隙間なく閉じられ、プレゼント収容部１３の収容空間１３ａに収容された列席者向けプレゼント４１（図３参照）が外部から全く見ることのできない状態となる。
【００２３】
錠前２０は、本体２２の一端に開錠動作および施錠動作を行うアーム２１を備え、本体２２の中央に鍵穴２３を備えている。この鍵穴２３に真のカギ３１ａが挿入されて回転させられると、回転方向に応じてアーム２１の解放または固定（ロック）を行い、開錠／施錠を実現する。内部の鍵構造は、公知の適宜の鍵構造を採用することができる。
【００２４】
列席者用具３０は、カギ３１（３１ａ，３１ｂ）と新郎新婦向けプレゼント３６を有している。  
カギ３１は、図２に示すように、真のカギ３１ａと偽のカギ３１ｂの２種類が存在している。１つのプレゼント交換ボックスセット９に対して、真のカギ３１ａは１つだけ割り当てられ、残りは全て偽のカギ３１ｂが割り当てられている。
【００２５】
カギ３１（３１ａ，３１ｂ）は、棒状の本体軸３３の先端に突起３２（３２ａ，３２ｂ）が設けられ、装飾の施された把持部３４が本体軸３３の後端に設けられている。突起３２（３２ａ，３２ｂ）は、錠前２０の鍵穴２３に挿入されて開錠／施錠を行うための部位である。真のカギ３１ａの突起３２ａは、錠前２０の鍵穴２３内の鍵構造と一致するため開錠／施錠を実行でき、偽のカギ３１ｂの突起３２ｂは、錠前２０の鍵穴２３内の鍵構造と一致しないため開錠／施錠を実行できない。この実施例では、真のカギ３１ａの突起３２ａを、偽のカギ３２ｂの突起３２ｂと一見してはわからない程度の形状の違い（若しくは大きさ又は長さの違い）としている。
【００２６】
把持部３４は、孔３５が設けられている。この把持部３４の孔３５には、リボン３７が挿通される。これにより、列席者は、カギ３１と新郎新婦向けプレゼント３６をリボン３７で接続して一体化する、リボン３７をほどいて分離するといったことを自由に行える。
【００２７】
カギ３１（３１ａ，３１ｂ）が挿入される錠前２０は、列席者向けプレゼントボックス１０と同じ数だけ配置されている。これらの錠前２０は、全て同じ真のカギ３１ａで開錠できるものであり、各テーブルに１つずつ配置された真のカギ３１ａも全て同じ鍵で構成されている。これにより、列席者向けプレゼントボックス１０毎に真のカギ３１ａを個別管理する必要がなく、取扱いを容易にするとともにトラブルを防止できる。ここでいうトラブルとは、例えば錠前２０を全て異なるものとし、真のカギ３１ａも錠前２０毎に異なるものとした場合、錠前２０と真のカギ３１ａとの対応を間違えて配置すると、列席者テーブル５の誰がどのカギ３１（３１ａ，３１ｂ）で開錠しようとしても開錠しないというトラブルを指す。
【００２８】
なお、鍵構造は、物理的な回転動作によって開錠／施錠を行う構造だけでなく、例えば非接触ＩＣタグを鍵に用いて適切なＩＤの非接触ＩＣタグであれば開錠／施錠を可能とし、不適切なＩＤの非接触ＩＤタグであれば開錠／施錠を不可とする構造にしてもよい。このように非接触ＩＣタグを使う場合は、真のカギか偽のカギかを外見上判別することを不可能にすることができる。
【００２９】
新郎新婦向けプレゼント３６は、厚紙等の書き込み可能な素材で形成されたカード（タグ）であり、リボン３７が取り付けられている。このリボン３７は、孔部等に括り付ける、あるいはボンド等で貼り付ける等、適宜の方法で新郎新婦向けプレゼント３６に固定されている。
【００３０】
新郎新婦向けプレゼント３６は、最初はカギ３２（３２ａ，３２ｂ）に取り付けられて美観を付与するタグのような存在である。そして、図３に示すようにメッセージ３７が記入されるとメッセージタグとなり、新郎新婦向けプレゼント３６は、新郎新婦への心のこもったプレゼントとなる。
【００３１】
列席者向けプレゼント４１は、新郎新婦によって自由に選ばれたプレゼントであり、図示するようなペア温泉チケットに限らず、他のチケットやオリジナルグッズなど様々なプレゼントとすることができる。また、列席者テーブル５毎に異なるプレゼントとすることもできる。
【００３２】
図４は、プレゼント交換システム１を用いた演出動作のフローチャートである。  
プレゼント交換システム１は、カギ３１（３１ａ，３１ｂ）に取り付けられた新郎新婦向けプレゼント３６の列席者による取り外しを許容する（ステップＳ１）。  
プレゼント交換システム１は、新郎新婦向けプレゼント３５に対する列席者によるメッセージの書き込等の心のこもった加工を受け付ける（ステップＳ２）。
【００３３】
プレゼント交換システム１は、列席者毎に割り当てられているカギ３１によって次々に錠前２２の開錠操作が行われることを受け付ける。そして、プレゼント交換システム１は、誰かが持っている真のカギ３１ａが錠前２２の鍵穴２３に挿入されて開錠操作がされたときに錠前２２を開錠する（ステップＳ３）。
【００３４】
プレゼント交換システム１は、開錠された錠前２２が取り外されて蓋部１１が開けられることを許容し、開錠に成功した列席者によりプレゼント収容部１３から列席者向けプレゼント４１が取り出されることを許容し、この列席者向けプレゼント４１を開錠者に提供する（ステップＳ４）。
【００３５】
プレゼント交換システム１は、列席者向けプレゼントボックス１０毎に、その列席者テーブル５内の全列席者から新郎新婦向けプレゼント３６をプレゼント収容部１３に収容することを許容する（ステップＳ５）。
【００３６】
プレゼント交換システム１は、列席者向けプレゼントボックス１０毎に、その列席者テーブル５内の全列席者からカギ３１（３１ａ，３１ｂ）をプレゼント収容部１３に収容することを許容する（ステップＳ６）。
【００３７】
プレゼント交換システム１は、列席者向けプレゼントボックス１０の蓋部１１を閉じる操作を許容する（ステップＳ７）。
【００３８】
プレゼント交換システム１は、収容された全ての新郎新婦向けプレゼント３６を係員によってメインテーブル２の新郎新婦向けプレゼントボックス３内に移し替えることを許容し、新郎新婦向けプレゼントボックス３内の全新郎新婦向けプレゼント３６を新郎新婦へ提供する（ステップＳ８）。
【００３９】
なお、プレゼント提供システム１ａとして使用する場合の動作については、上述したプレゼント交換システム１の動作のうちステップＳ１，Ｓ２，Ｓ５，Ｓ８を除けば良いため、その詳細な説明を省略する。
【００４０】
以上の構成および動作により、プレゼント交換システム１およびプレゼント提供システム１ａは、新郎新婦から列席者へ心のこもったおもてなしを実施でき、新郎新婦および列席者の満足度を向上させ、より思い出深い結婚披露宴を演出することができる。
【００４１】
列席者向けプレゼント４１を贈る過程は、全員参加型の余興となるため、列席者は楽しむことができて待ち時間が発生しない。そして、列席者テーブル５単位で列席者の一部へのプレゼントを全列席者テーブル５で一斉に実施および完了できるため、プレゼント交換システム１およびプレゼント提供システム１ａは、新郎新婦から列席者へ短時間で効率よくプレゼントを贈ることができる。
【００４２】
また、施錠／開錠に関係するカギ３１（３１ａ，３１ｂ）の突起３２（３２ａ，３２ｂ）部分を真のカギ３１ａと偽のカギ３１ｂとで一見区別し難い形状としているため、列席者はどれが真でどれが偽かわからず、また真と偽が存在することも気づかずに結婚披露宴を楽しむことができる。
【００４３】
また、列席者から新郎新婦へ心のこもったプレゼントを贈れるため、プレゼント交換システム１は、新郎新婦と列席者とのプレゼント交換を実現できる。このとき、全列席者が自分の列席者テーブル５に置かれた列席者向けプレゼントボックス１０へ新郎新婦向けプレゼント３６を収容するため、参加人数の多い結婚披露宴であっても列席者全員がそれぞれ心をこめた多種多様な新郎新婦向けプレゼント３６を短時間で一括収集することができる。
【００４４】
また、新郎新婦から列席者へのプレゼント、および列席者から新郎新婦へのプレゼントを、余興中に全て完了させるため、新郎新婦や列席者にプレゼントの手渡し等の作業を行う係員を不要とすることができる。
【００４５】
また、プレゼント交換システム１およびプレゼント提供システム１ａは、余興の流れに沿って列席者向けプレゼントボックス１０のプレゼント収容部１３に全てのカギ３１（３１ａ，３１ｂ）を収納するため、カギ３１（３１ａ，３１ｂ）の紛失を防止することができる。
【００４６】
また、プレゼント交換システム１およびプレゼント提供システム１ａは、紙状で軽い新郎新婦向けプレゼント３６と金属製で重みのあるカギ３１（３１ａ，３１ｂ）をセットとすることで、列席者テーブル５にセットした状態ではカギ３１（３１ａ，３１ｂ）にリボン３７で結ばれた新郎新婦向けプレゼント３６が風等で飛ばされることを防止でき、プレゼント収容部１３に収容された状態では新郎新婦向けプレゼント３６の上にカギ３１（３１ａ，３１ｂ）を載せるように収容することで新郎新婦向けプレゼント３６が風等で飛ばされることを防止できる。
【００４７】
また、装飾された美しいカギ３１とメッセージタグ（新郎新婦向けプレゼント３６）で構成された列席者用具３０が列席者テーブルに列席者毎にコーディネートされているため、列席者は、結婚披露宴が始まる前から、「可愛い」「これ、何だろう」とワクワクした気持ちを持って結婚披露宴を楽しむことができる。
【００４８】
また、新郎新婦は、列席者に楽しんでもらいたい、感謝を伝えたいという気持ちをプレゼント交換システム１あるいはプレゼント提供システム１ａによるサプライズイベントという形で列席者全員に伝えることができる。例えば、どの列席者にプレゼントされるか誰もわからない状態とすることもできれば、両親などの特にお世話になった方の席に真のカギ３１ａを配置しておいて、特別なプレゼントを贈ることもでき、新郎新婦の希望に応じて多種多様なプレゼントを実現できる。
【００４９】
また、列席者は、新郎新婦からのプレゼントに対するお返しや、あるいは祝福の気持ちを、一人一人が心を込めた新郎新婦向けプレゼント３６によって新郎新婦に伝えることができる。
【００５０】
また、列席者全員参加の演出により、アットホームな一体感が生まれる。そして、新郎新婦および列席者は、贈る喜び、贈られる喜びを得ることができる。
【００５１】
なお、列席者用具３０は、タグ付きカギ（新郎新婦向けプレゼント３６が取り付けられたカギ３１）としたが、これに限らずカギ３１と適宜の新郎新婦向けプレゼント３６のセットとすることができる。例えば、新郎新婦向けプレゼント３６として、メッセージカード、列席者を写した写真、あるいは手作りアイテム等、適宜のプレゼントとすることができる。
【００５２】
また、列席者向けプレゼントボックス１０は略直方体形状としたが、円形やハート形等、様々な形状に形成することができる。
【産業上の利用可能性】
【００５３】
この発明は、結婚披露宴や結婚式二次会などの宴会にて利用することができる。
【符号の説明】
【００５４】
１…プレゼント交換システム
８…プレゼント提供ボックスセット
１０…列席者向けプレゼントボックス
１１…蓋部
１３…プレゼント収容部
１３ｂ…開口
２０…錠前
３１ａ…真のカギ
３１ｂ…偽のカギ
３６…新郎新婦向けプレゼント
４１…列席者向けプレゼント
【図１】
2016010420.tif 000003
【図２】
2016010420.tif 000004
【図３】
2016010420.tif 000005
【図４】
2016010420.tif 000006